(57)【要約】【課題】簡単な構成で、異なる質のジュースが得られるジューサーを提供する。【解決手段】電動機３を内蔵する本体４と、前記電動機３により回転駆動されカッター７を備えた分離籠１と、前記分離籠１に着脱自在に内装され内部に粕を滞留させてジュースを分離するフィルター２とを有し、前記フィルター２を前記分離籠１に係止する位置を上下方向で変えられるようにしたもので、分離籠１にフィルター２を係止する際、フィルター２の位置を高さ方向で変えることにより、分離籠１の底面とフィルター２の下端との間の隙間が変化して、ジュースの流路が変わるので、使用者の嗜好にあわせて、異なる質のジュースが得られるものである。【選択図】図１
2008113989.tif 000002
【特許請求の範囲】
【請求項１】
電動機を内蔵する本体と、前記電動機により回転駆動されカッターを備えた分離籠と、前記分離籠に着脱自在に内装され内部に粕を滞留させてジュースを分離するフィルターとを有し、前記フィルターを前記分離籠に係止する位置を上下方向で変えられるようにしたジューサー。
【請求項２】
分離籠にフィルターを係止するための高さの異なる複数組の係止部を設けた請求項１に記載のジューサー。
【請求項３】
分離籠の係止部を略Ｌ字形の係止凹部とし、フィルターに前記係止凹部に係合する係止凸部を設けた請求項２に記載のジューサー。
【請求項４】
分離籠とフィルターの上開口部付近を径大にして、それぞれに段差を設けた請求項１〜３のいずれかに１項に記載のジューサー。
【請求項５】
フィルターの上端部に、略半円形の取っ手の両端を回動自在に軸支した請求項１〜４のいずれか１項に記載のジューサー。
【請求項６】
分離籠とフィルターの上開口部付近を径大にして、それぞれに段差を設け、前記フィルターの上端部に略半円形の取っ手の両端を回動自在に軸支し、前記分離籠の係止部を略Ｌ字形の係止凹部とし、前記取っ手に前記係止凹部に係合する係止凸部を設けた請求項２に記載のジューサー。
【発明の詳細な説明】
【技術分野】
【０００１】
本発明は、家庭などで使用されるジューサーに関するもので、特に、粕滞留型のジューサーに関するものである。
【背景技術】
【０００２】
従来のこの種のジューサーは、多数スリットを有するフィルターを、分離籠の所定の位置に着脱自在に取り付けていた（例えば、特許文献１参照）。
【特許文献１】特開昭６１−２０３９１６号公報
【発明の開示】
【発明が解決しようとする課題】
【０００３】
しかしながら、前記従来のジューサーの構成によると、ジュースの質は、フィルターのスリット幅やスリットを通過した後のジュースの流路構成から決まり、一定のものしか得られないという課題があった。
【０００４】
本発明は、前記従来の課題を解決するもので、使用者の嗜好に応じて、異なる質のジュースが得られるジューサーを提供することを目的とする。
【課題を解決するための手段】
【０００５】
前記従来の課題を解決するために、本発明のジューサーは、電動機を内蔵する本体と、前記電動機により回転駆動されカッターを備えた分離籠と、前記分離籠に着脱自在に内装され内部に粕を滞留させてジュースを分離するフィルターとを有し、前記フィルターを前記分離籠に係止する位置を上下方向で変えられるようにしたもので、分離籠にフィルターを係止する際、フィルターの位置を高さ方向で変えることにより、分離籠の底面とフィルターの下端との間の隙間が変化して、ジュースの流路が変わるので、使用者の嗜好にあわせて、異なる質のジュースが得られるものである。
【発明の効果】
【０００６】
本発明のジューサーは、フィルターの分離籠への上下方向での係止位置を変えて、分離籠の底面とフィルター下端との間の隙間を変化させジュースの流路を変える事により、ジュース中の繊維質の流出量が変化して異なる質のジュースが得られるものである。
【発明を実施するための最良の形態】
【０００７】
第１の発明は、電動機を内蔵する本体と、前記電動機により回転駆動されカッターを備えた分離籠と、前記分離籠に着脱自在に内装され内部に粕を滞留させてジュースを分離するフィルターとを有し、前記フィルターを前記分離籠に係止する位置を上下方向で変えられるようにしたもので、分離籠にフィルターを係止する際、フィルターの位置を高さ方向で変えることにより、分離籠の底面とフィルターの下端との間の隙間が変化して、ジュースの流路が変わるので、使用者の嗜好にあわせて、異なる質のジュースが得られるものである。
【０００８】
第２の発明は、特に、第１の発明の分離籠にフィルターを係止するための高さの異なる複数組の係止部を設けたもので、フィルターを分離籠にセットする位置を変えるだけの簡単な操作で、フィルターを異なる高さにセットでき、ジュースの流路を切り替えて、異なる質のジュースが得られるものである。
【０００９】
第３の発明は、特に、第２の発明の分離籠の係止部を略Ｌ字形の係止凹部とし、フィルターに前記係止凹部に係合する係止凸部を設けたもので、フィルターを分離籠にバイヨネット嵌合により簡便かつ確実に高さ方向の位置決めをすることができる。
【００１０】
第４の発明は、特に、第１〜３のいずれか一つの発明の分離籠とフィルターの上開口部付近を径大にして、それぞれに段差を設けたもので、ジュースがフィルターを通過した後の分離籠の内周面とフィルターの外周面の間の隙間で構成されるジュースの通路が、段差によりクランク形状になり、フィルターを上下方向で異なる位置にセットしたときに、分離籠の底面とフィルター下端の間の隙間と共に、分離籠とフィルターの段差部でも上下方向の隙間が変化するためジュース中の繊維質の流出量が変化して異なる質のジュースが得られるものである。
【００１１】
第５の発明は、特に、第１〜４のいずれか一つの発明のフィルターの上端部に略半円形の取っ手の両端を回動自在に軸支したもので、回動自在の取っ手を起こしてフィルターを分離籠に着脱できるため、持ちやすくまた、着脱操作を容易にすることができる。
【００１２】
第６の発明は、特に、第２の発明の分離籠とフィルターの上開口部付近を径大にして、それぞれに段差を設け、前記フィルターの上端部に略半円形の取っ手の両端を回動自在に軸支し、前記分離籠の係止部を略Ｌ字形の係止凹部とし、前記取っ手に前記係止凹部に係合する係止凸部を設けたもので、取っ手を倒して係止凸部を分離籠の所定の位置にセットするだけの簡単な操作で、フィルターの高さ方向の位置を確実に変えることができ、分離籠の底面とフィルター下端の上下方向の隙間および分離籠とフィルターのそれぞれの段差部の上下方向の隙間が変化するためジュース中の繊維質の流出量が変化し異なる質のジュースが得られるものである。
【００１３】
以下、本発明の実施の形態について、図面を参照しながら説明する。なお、この実施の形態によって本発明が限定されるものではない。
【００１４】
（実施の形態１）
図１、２は、本発明の実施の形態１におけるジューサーの縦断面図、図３は、同ジューサーの分離籠およびフィルターの斜視図である。なお、図１と図２では、分離籠に対するフィルターの上下方向でセット位置が異なっている。
【００１５】
図１、図２、図３において、本実施の形態におけるジューサーは、電動機３を内蔵する本体４と、本体４に着脱自在に係止される容器５と蓋６と、容器５内に回転自在に収納され、カッター７を備えた分離籠１と、多数のスリット２ａを備え分離籠１内に装着されるフィルター２を備え、分離籠１は電動機３により回転駆動されるコネクター８に着脱自在にセットされている。
【００１６】
分離籠１の内側には、略Ｌ字形の係止凹部９ａ、９ｂ、９ｃ、９ｄの一組が同じ高さに配置され、さらに係止凹部１０ａ、１０ｂ、１０ｃ、１０ｄの一組が、係止凹部９ａ、９ｂ、９ｃ、９ｄより低い位置で、かつ同じ高さにそれぞれ配置されている。
【００１７】
一方、フィルター２には、係止凸部１１ａ、１１ｂ、１１ｃ、１１ｄの一組を設けており、係止凸部１１ａ、１１ｂ、１１ｃ、１１ｄの一組は、係止凹部９ａ、９ｂ、９ｃ、９ｄの一組、係止凹部１０ａ、１０ｂ、１０ｃ、１０ｄの一組のどちらにもバイヨネット嵌合により着脱自在にセットできるようになっている。
【００１８】
図１は、フィルター２の係止凸部１１ａ、１１ｂ、１１ｃ、１１ｄを、分離籠１の係止凹部９ａ、９ｂ、９ｃ、９ｄに装着した場合を示し、図２は、フィルター２の係止凸部１１ａ、１１ｂ、１１ｃ、１１ｄを、分離籠１の係止凹部１０ａ、１０ｂ、１０ｃ、１０ｄに装着した場合を示している。
【００１９】
次に、本実施の形態におけるジューサーの動作、作用について説明する。
【００２０】
蓋６に設けた材料投入口６ａより野菜などの材料（図示せず）を投入し、それを押し棒２０で、カッター７に向けて押し込むと、投入された材料は、カッター７ですりおろされて周囲に飛散しフィルター２の内面に滞留し、ジュースと粕に分離される。ジュースは、フィルター２のスリット２ａを通過して、分離籠１の内周面とフィルター２の外周面の隙間を通って分離籠１から放出される。
【００２１】
ここで、フィルター２の係止凸部１１ａ、１１ｂ、１１ｃ、１１ｄが、図１に示すように分離籠１の係止凹部９ａ、９ｂ、９ｃ、９ｄに装着されている場合は、分離籠１の底面とフィルター２の下端の隙間が広くなるので、固形分が通過しやすくなり濃いジュースが得られる。
【００２２】
一方フィルター２の係止凸部１１ａ、１１ｂ、１１ｃ、１１ｄを、図２に示すように分離籠１の係止凹部１０ａ、１０ｂ、１０ｃ、１０ｄに装着した場合は、分離籠１の底面とフィルター２の下端の隙間が狭くなり、ここから固形分が通過しなくなって、さらっとしたジュースが得られる。
【００２３】
以上のように、本実施の形態によれば、フィルター２を分離籠１にセットするときに、フィルター２の高さ位置を変えるだけの簡単な操作により、異なる質のジュースが得られるジューサーを提供することができる。
【００２４】
（実施の形態２）
図４、図５は、本発明の実施の形態２におけるジューサーの縦断面図、図６は、分離籠およびフィルターの斜視図であり、図４と図５では、分離籠に対するフィルターの上下方向でのセット位置が異なっている。なお、上記実施の形態１と同一構成部品には、同じ符号を付し、その説明を省略する。
【００２５】
図４、図５、図６において、本実施の形態においては、分離籠１２とフィルター１３のそれぞれの上部開口部付近を径大にして、それぞれの中間に段差を形成しており、これにより、分離籠１２の内周面とフィルター１３の外周面の隙間で構成されるジュースの通路がクランク形状となっている。
【００２６】
分離籠１２の内側には、係止凹部１４ａ、１４ｂ、１４ｃ、１４ｄの一組が同じ高さに配置され、さらに係止凹部１５ａ、１５ｂ、１５ｃ、１５ｄの一組が、係止凹部１４ａ、１４ｂ、１４ｃ、１４ｄより低い位置で、同じ高さにそれぞれ配置されている。
【００２７】
一方多数のスリット１３ａを備えたフィルター１３の上端部には、略半円形の取っ手１６ａ、１６ｂのそれぞれの両端が回動自在に軸支され、取っ手１６ａ、１６ｂのそれぞれを水平方向に倒したり、略垂直方向に立てることができるようになっている。また、取っ手１６ａに係止凸部１７ａ、１７ｄが、取っ手１６ｂに係止凸部１７ｂ、１７ｃがそれぞれ設けられ、これらの係止凸部１７ａ、１７ｂ、１７ｃ、１７ｄは、係止凹部１４ａ、１４ｂ、１４ｃ、１４ｄの一組、係止凹部１５ａ、１５ｂ、１５ｃ、１５ｄの一組のどちらにもバイヨネット嵌合により着脱自在に係止できるようになっている。
【００２８】
図４は、取っ手１６ａ、１６ｂの係止凸部１７ａ、１７ｂ、１７ｃ、１７ｄが分離籠１２の係止凹部１４ａ、１４ｂ、１４ｃ、１４ｄに装着された場合で、図５は、取っ手１６ａ、１６ｂの係止凸部１７ａ、１７ｂ、１７ｃ、１７ｄが分離籠１２の係止凹部１５ａ、１５ｂ、１５ｃ、１５ｄに装着された場合を示している。
【００２９】
以上のように、本実施の形態によれば、フィルター１３が、図４に示すように分離籠１２の係止凹部１４ａ、１４ｂ、１４ｃ、１４ｄに装着されている場合は、分離籠１２の底面とフィルター１３の下端との隙間および段差部分の隙間が広くなって、固形分が通過しやすくなり濃いジュースが得られる。
【００３０】
一方フィルター１３を、図５に示すように分離籠１２の係止凹部１５ａ、１５ｂ、１５ｃ、１５ｄに装着した場合は、分離籠１２の底面とフィルター１３の下端との隙間および段差部分の隙間が狭くなって固形分が通過しにくくなってさらっとしたジュースが得られる。
【００３１】
以上のように、本実施の形態によれば、フィルター１３を分離籠１２にセットする位置を変えるだけの簡単な操作により、異なる質のジュースを得ることができる。また、取っ手１６ａ、１６ｂの両端がフィルター１３の上端部に回動自在に設けられているので、取っ手１６ａ、１６ｂを起こしてフィルター１３を分離籠１２に容易に着脱できると共に持ちやすく、フィルター１３の着脱操作の容易なジューサーを提供することができる。
【産業上の利用可能性】
【００３２】
以上のように本発明にかかるジューサーは、簡単な構成で、使用者の嗜好に合わせて、異なる質のジュースが得られるもので、家庭用、業務用の粕滞留型のジューサーに適用できる。
【図面の簡単な説明】
【００３３】
【図１】本発明の実施の形態１におけるジューサーの縦断面図
【図２】同ジューサーの縦断面図
【図３】同ジューサーの分離籠およびフィルターの斜視図
【図４】本発明の実施の形態２におけるジューサーの縦断面図
【図５】同ジューサーの縦断面図
【図６】同ジューサーの分離籠およびフィルターの斜視図
【符号の説明】
【００３４】
１  分離籠
２  フィルター
３  電動機
４  本体
９ａ〜９ｄ、１０ａ〜１０ｄ、１４ａ〜１４ｄ、１５ａ〜１５ｄ  係止凹部（係止部）
１１ａ〜１１ｄ、１７ａ〜１７ｄ  係止凸部
１６ａ、１６ｂ  取っ手
【図１】
2008113989.tif 000003
【図２】
2008113989.tif 000004
【図３】
2008113989.tif 000005
【図４】
2008113989.tif 000006
【図５】
2008113989.tif 000007
【図６】
2008113989.tif 000008